(57)【特許請求の範囲】
【請求項１】
水底面等の水中に設置しようとするシート状物に、内部に注水することにより所定形状に膨張して保形性を発現する注水バッグと、気体を注入することにより浮力を発現する浮き用バッグとを一体若しくは取り外し可能に取り付けておき、前記注水バッグに水を、前記浮き用バッグに気体をそれぞれ注入して前記シート状物を所定の形状に拡開させて浮揚させ、その状態でシート状物設置位置上に移動させ、シート状物の設置に合わせて水底面に設置した複数の沈設用シンカーと、下端が前記沈設用シンカーに固定さされるとともに上端が浮き等に固定して上下方向に緊張したガイドロープと、前記シート状物に取り付けられた複数の係合フックとを備えた沈設手段を使用し、前記ガイドロープに前記係合フックを係合させるとともに、前記浮き用バッグを取り外し若しくは該浮き用バッグ内の気体を排出させて浮力を低減させた状態で、前記ガイドロープに沿って前記シート状物を設置位置に沈設することを特徴としてなるシート状物の水中設置方法。
【請求項２】
シート状物を沈設した後、該シート状物を各方向より均等に引っ張り、前記シート状物を張った状態とする請求項１に記載のシート状物の水中設置方法。
【請求項３】
水底面等の水中に設置しようとするシート状物に、内部に注水することにより所定形状に膨張して保形性を発現する注水バッグと、気体を注入することにより浮力を発現する浮き用バッグとが一体若しくは取り外し可能に取り付け、前記注水バッグに水を、前記浮き用バッグに気体をそれぞれ注入することにより前記シート状物を所定の形状に拡開させて浮揚させ、シート状物設置位置上に前記シート状物を移動させる移動手段と、前記シート状物を沈下させる沈設手段とを備え、該沈設手段は、シート状物の設置に合わせて水底面に設置した複数の沈設用シンカーと、下端が前記沈設用シンカーに固定されるとともに上端が浮き等に固定して上下方向に緊張したガイドロープと、前記シート状物に取り付けられた複数の係合フックとを備え、前記ガイドロープに前記係合フックを係合させ、前記ガイドロープに沿って前記シート状物を設置位置に沈設するようにしたシート状物の水中設置装置。
【請求項４】
シート状物を沈設した後、該シート状物を各方向より均等に引っ張る展張手段を備えた請求項３に記載のシート状物の水中設置装置。
【請求項５】
展張手段は、シート状物の周りに配置された展張用シンカーと、該展張用シンカーと前記シート状物の縁部とを結ぶターンバックルを介在させた展張用ワイヤーとを備え、該展張用ワイヤーにより前記シート状物の縁部を前記展張用シンカーに連結し、前記ターンバックルを締めることにより前記シート状物を張った状態にするようにした請求項４に記載のシート状物の水中設置装置。
【発明の詳細な説明】
【０００１】
【発明の属する技術分野】
本発明は、例えば水底の水底面覆砂工法等に必要な遮水などのために水底に敷設するシート状物の水中設置方法及びその装置に関する。
【０００２】
【従来の技術】
一般に、防波堤などの水中構造物用捨石基礎の吸い出し防止や、水中構造物際の土砂流失防止などの為の遮水シートや、水底にコンクリートを打設するための容器とする袋材などのシート状物が水底に敷設されている。
【０００３】
従来、この種のシート状物の水底における敷設に際しては、流失しないように折り畳んだ状態で水底に沈め、潜水夫による潜水作業によってこれを展開し、所定の位置に移動させて位置決めしている。
【０００４】
また、その他の方法として、作業船の後部のドラムに錘を付けたシート状物を巻き付けておき、移動しながら所定の位置に沈設する方法がとられている。
【０００５】
【発明が解決しようとする課題】
しかし、上述のような従来の技術では、水底におけるシート状物の展開及び移動作業は、抵抗が大きいため、これを潜水夫による手作業に頼っている方法では、潜水夫に重労働を強いることとなり、作業性が悪く、しかも多くの作業員が必要となり、コスト高とならざるを得ないという問題があった。
【０００６】
また、作業船による沈設の場合には、シートにしわや偏荷重が出やすく、正確な位置に設置しにくいという問題があった。
【０００７】
本発明は、このような従来の技術の状況を鑑み、正確な位置への設置及び施工品質の向上を目的としてなされたものである。
【０００８】
【課題を解決するための手段】
上述の如き従来の問題を解決し、所期の目的を達成するための本発明に係るシート状物の水中設置方法の特徴は、水底面等の水中に設置しようとするシート状物に、内部に注水することにより所定形状に膨張して保形性を発現する注水バッグと、気体を注入することにより浮力を発現する浮き用バッグとを一体若しくは取り外し可能に取り付けておき、前記注水バッグに水を、前記浮き用バッグに気体をそれぞれ注入して前記シート状物を所定の形状に拡開させて浮揚させ、その状態でシート状物設置位置上に移動させ、シート状物の設置に合わせて水底面に設置した複数の沈設用シンカーと、下端が前記沈設用シンカーに固定さされるとともに上端が浮き等に固定して上下方向に緊張したガイドロープと、前記シート状物に取り付けられた複数の係合フックとを備えた沈設手段を使用し、前記ガイドロープに前記係合フックを係合させるとともに、前記浮き用バッグを取り外し若しくは該浮き用バッグ内の気体を排出させて浮力を低減させた状態で、前記ガイドロープに沿って前記シート状物を設置位置に沈設することにある。
【０００９】
尚、シート状物を沈設した後、該シート状物を各方向より均等に引っ張り、前記シート状物を張った状態とすることが好ましい。
【００１０】
また、本発明に係るシート状物の水中設置装置の特徴は、水底面等の水中に設置しようとするシート状物に、内部に注水することにより所定形状に膨張して保形性を発現する注水バッグと、気体を注入することにより浮力を発現する浮き用バッグとが一体若しくは取り外し可能に取り付け、前記注水バッグに水を、前記浮き用バッグに気体をそれぞれ注入することにより前記シート状物を所定の形状に拡開させて浮揚させ、シート状物設置位置上に前記シート状物を移動させる移動手段と、前記シート状物を沈下させる沈設手段とを備え、該沈設手段は、シート状物の設置に合わせて水底面に設置した複数の沈設用シンカーと、下端が前記沈設用シンカーに固定されるとともに上端が浮き等に固定して上下方向に緊張したガイドロープと、前記シート状物に取り付けられた複数の係合フックとを備え、前記ガイドロープに前記係合フックを係合させ、前記ガイドロープに沿って前記シート状物を設置位置に沈設するようにしたことにある。
【００１１】
尚、シート状物を沈設した後、該シート状物を各方向より均等に引っ張る展張手段を備えたことが好ましく、展張手段は、シート状物の周りに配置された展張用シンカーと、該展張用シンカーと前記シート状物の縁部とを結ぶターンバックルを介在させた展張用ワイヤーとを備え、該展張用ワイヤーにより前記シート状物の縁部を前記展張用シンカーに連結し、前記ターンバックルを締めることにより前記シート状物を張った状態にするようにしたことが好ましい。
【００１２】
【発明の実施の形態】
次に、本発明に係るシート状物の水中設置装置の実施の形態を図１〜図８について説明する。
【００１３】
図１〜図３は真空圧密用の遮水シートからなるシート状物を設置する場合の実施の形態を示しており、図において、１は水底に敷設しようとするシート状物、２は注水バッグ、３は浮き用バッグであり、このシート状物１には、注水バッグ２及び浮き用バッグ３が予め取り外し可能に取り付けられている。
【００１４】
シート状物１の周縁部には展張手段４として複数の展張用ワイヤー５，５…が取り付けられており、この展張用ワイヤー５の先端は、予め水底面の所定位置に設置しておいた展張用シンカー６に係止されるようになっている。また、この展張用ワイヤー５にはターンバックル５ａが介在されており、ワイヤー先端を展張用シンカー６に係止させた状態でターンバックル５ａを締め込むことによりシート状物１を張った状態にすることができるようになっている。
【００１５】
注水バッグ２は、ゴム、合成ゴム或いは不透水性帆布シートなどの柔軟性材料を主体とした材料によって中空のバッグ状に形成されており、これに注水することによって膨張し所定の形状が維持される構造となっている。尚、注水バッグ２は、膨張して所定形状に展開し、この展開力でシート状物１が所定の形状に展開されるようにシート状物１に取り付けられている。
【００１６】
また、注水バッグ２の周縁部には、複数の係合フック７，７…がロープ８，８…を介して取り付けられており、この係合フック７はガイドロープ９に係合するようになっている。
【００１７】
浮き用バッグ３は、ゴム、合成ゴム或いは不透水性帆布シートなどの柔軟性材料を主体とした材料によって中空のバッグ状に形成されており、これに気体を注入することにより浮揚することができるようになっている。
【００１８】
次に、本発明に係るシート状物の水中設置方法について説明する。
【００１９】
まず、図４に示すように、シート状物１に取り付けられた注水バッグ２及び浮き用バッグ３にそれぞれ、注水バッグ２には水を、浮き用バッグ３には気体を注入し、注水バッグ２によりシート状物１を所定の形状に拡開させてそのままその形状を保持し、浮き用バッグ３の浮力により浮揚させる。この状態で移動用船１０により曳き、設置位置上に移動する。
【００２０】
次に、図５に示すように、敷設位置の周辺に複数の沈設用シンカー１１，１１…を設置し、ガイドロープ９の下端を沈設用シンカー１１に、上端をブイ等の浮き１２にそれぞれ取り付けて上下方向に緊張した状態にする。このガイドロープ９に係合フック７を係合させて、シート状物１の設置位置を合わせる。
【００２１】
次に、図６に示すように、浮き用バッグ３内の気体を排出して浮力を低減させ、シート状物１を作業船１３に搭載したウインチ１４等でガイドロープ９に沿って下方に沈める。
【００２２】
所定位置まで沈めたら、図７に示すように、設置位置周辺の所定位置に予め設置しておいた複数の展張用シンカー６，６…にシート状物１の周縁部に取り付けられた展張用ロープ５の先端を潜水夫の手作業により係止させ、展張用ロープ５に介在させたターンバックル５ａを締め込み、展張用ワイヤー５にテンションをかけてシート状物１を張った状態にして敷設する。
【００２３】
敷設作業が完了したら、図８に示すように、注水バッグ２から水を排出させ、シート状物１から注水バッグ２及び浮き用バッグ３を取り外し、図９に示すように、設置作業を完了する。注水バッグ２及び浮き用バッグ３は回収され、再利用される。
【００２４】
尚、注水バッグ２のシート状物１に対する固定は、シート状物の用途に応じ、シート状物に対して取り外し不能に固定してもよく、この場合には、シート状物１の所定位置への設置後、水を抜いてシート状物１とともに水底に設置する。
【００２５】
また、浮き用バッグ３も同様に、シート状物に対して取り外し不能に固定して、気体を抜ききった状態でシート状物１とともに水底に設置してもよい。
【００２６】
また、上述の実施例では、遮水シートの敷設について説明したが、コンクリートアンカーを水底に打設成形する際に型枠として使用する袋材にあっても同様に展開設置することができる。
【００２７】
【発明の効果】
上述のように、本発明に係るシート状物の水中設置方法は、水底面等の水中に設置しようとするシート状物に、内部に注水することにより所定形状に膨張して保形性を発現する注水バッグと、気体を注入することにより浮力を発現する浮き用バッグとを一体若しくは取り外し可能に取り付けておき、前記注水バッグに水を、前記浮き用バッグに気体をそれぞれ注入して前記シート状物を所定の形状に拡開させて浮揚させ、その状態でシート状物設置位置上に移動させ、前記浮き用バッグを取り外し若しくは該浮き用バッグ内の気体を排出させて浮力を低減させた状態で、前記シート状物を設置位置に沈設することにより、多くの潜水夫に頼ることなく作業が行え、作業性が向上するとともにコストの低減が図れ、また、設置したときシート状物がしわになりにくく、好適に敷設することができる。
【００２８】
また、シート状物の設置に合わせて水底面に設置した複数の沈設用シンカーと、下端を前記沈設用シンカーに固定し、上端を浮き等に固定して上下方向に緊張したガイドロープとを備え、該ガイドロープに沿ってシート状物を沈設することにより、正確な位置にシート状物を設置することができる。
【００２９】
また、シート状物を沈設した後、該シート状物を各方向より均等に引っ張り、前記シート状物を張った状態とすることにより、しわや偏荷重を防止することができる。
【００３０】
上述のように、本発明に係るシート状物の水中設置装置は、水底面等の水中に設置しようとするシート状物に、内部に注水することにより所定形状に膨張して保形性を発現する注水バッグと、気体を注入することにより浮力を発現する浮き用バッグとが一体若しくは取り外し可能に取り付け、前記注水バッグに水を、前記浮き用バッグに気体をそれぞれ注入することにより前記シート状物を所定の形状に拡開させて浮揚させ、シート状物設置位置上に前記シート状物を移動させる移動手段と、前記シート状物を沈下させる沈設手段とを備え、前記シート状物を設置位置に沈設するようにしたことにより、装置全体として金属製の部品が少なく、広いシートであっても装置の重量は過大にならず、シート状物にも損傷を与えにくいようになっており、また、多くの潜水夫を必要とせず、作業性が向上するとともにコストの低減が図れる。
【００３１】
また、沈設手段は、シート状物の設置に合わせて水底面に設置した複数の沈設用シンカーと、下端を前記沈設用シンカーに固定し、上端を浮き等に固定して上下方向に緊張したガイドロープと、前記シート状物に取り付けられた複数の係合フックとを備え、該ガイドロープに前記係合フックを係合させ、前記ガイドロープに沿って前記シート状物を沈設するようにしたことにより、正確な設置作業が行える。
【００３２】
また、シート状物を沈設した後、該シート状物を各方向より均等に引っ張る展張手段を備えたことにより、しわや偏荷重を防止することができる。
【００３３】
また、展張手段は、シート状物の周りに配置された展張用シンカーと、該展張用シンカーと前記シート状物の縁部とを結ぶターンバックルを介在させた展張用ワイヤーとを備え、該展張用ワイヤーにより前記シート状物の縁部を前記展張用シンカーに連結し、前記ターンバックルを締めることにより前記シート状物を張った状態にするようにしたことにより、展張作業が容易かつ好適に行うことができる。
【図面の簡単な説明】
【図１】本発明に使用するシート状物の一例を示す平面図である。
【図２】同上の展開状態を示す断面図である。
【図３】本発明に使用するシート状物の設置状態を示す平面図である。
【図４】本発明に係る曳航状態を示す説明用側面図である。
【図５】同上の沈設装置設置状態を示す説明用側面図である。
【図６】同上の沈設状態を示す説明用側面図である。
【図７】同上の展張装置設置状態を示す説明用側面図である。
【図８】同上の展張状態を示す説明用側面図である。
【図９】同上の設置状態を示す説明用側面図である。
【符号の説明】
１  シート状物
２  注水バッグ
３  浮き用バッグ
４  展張手段
５  展張用ワイヤー
５ａ  ターンバックル
６  展張用シンカー
７  係合フック
８  ロープ
９  ガイドロープ
１０  移動用船
１１  沈設用シンカー
１２  浮き
１３  作業船
１４  ウインチ
【図１】
0003790984.tif 000002
【図２】
0003790984.tif 000003
【図３】
0003790984.tif 000004
【図４】
0003790984.tif 000005
【図５】
0003790984.tif 000006
【図６】
0003790984.tif 000007
【図７】
0003790984.tif 000008
【図８】
0003790984.tif 000009
【図９】
0003790984.tif 000010